(57)【要約】【課題】電線が固定される第１シート部材に第２シート部材を重ね合せてしっかり固定できるようにすることを目的とする。【解決手段】配線部材１０は、線状伝送部材（例えば、電線２０）と、線状伝送部材が一方主面に固定された第１シート部材３２と、第１シート部材の他方主面側に固定された第２シート部材３６とを備える。第１シート部材３２は第２シート部材３６と比較して線状伝送部材の固定に適した部材である。第１シート部材３２と第２シート部材３６との一方に、他方が溶けて充填可能な空間３８が形成され、第１シート部材３２と第２シート部材との他方が、一方の空間３８に溶けて充填されて固化した状態で、第１シート部材３２と第２シート部材３６とが重ね合されている。【選択図】図１
2020024787.tif 000002
【特許請求の範囲】
【請求項１】
線状伝送部材と、
前記線状伝送部材が一方主面に固定された第１シート部材と、
前記第１シート部材の他方主面側に固定された第２シート部材と、
を備え、
前記第１シート部材は前記第２シート部材と比較して前記線状伝送部材の固定に適し、
前記第１シート部材と前記第２シート部材との一方に、他方が溶けて充填可能な空間が形成され、
前記第１シート部材と前記第２シート部材との前記他方が、前記一方の前記空間に溶けて充填されて固化した状態で、前記第１シート部材と前記第２シート部材とが重ね合されている、配線部材。
【請求項２】
請求項１に記載の配線部材であって、
前記第１シート部材と前記第２シート部材のうち前記一方の融点が、前記他方の融点よりも高い、配線部材。
【請求項３】
請求項１又は請求項２に記載の配線部材であって、
前記第１シート部材は、内部が一様に埋ったシート状の部材であり、
前記第２シート部材は、複数の繊維を含み、前記複数の繊維の間に前記空間が形成された不織シート部材であり、
前記第１シート部材が溶けて、前記不織シート部材の前記空間に充填されて固化した状態で、前記第１シート部材と前記不織シート部材とが重ね合されている、配線部材。
【請求項４】
請求項３に記載の配線部材であって、
前記不織シート部材のうち前記第１シート部材側の前記空間に前記第１シート部材が溶けて充填されて固化しており、
前記不織シート部材のうち前記第１シート部材から離れた部分では前記空間が残存している、配線部材。
【請求項５】
請求項１から請求項４のいずれか１項に記載の配線部材であって、
前記第１シート部材は、前記線状伝送部材の被覆と同系の樹脂で形成されている、配線部材。
【請求項６】
請求項１から請求項５のいずれか１項に記載の配線部材であって、
前記線状伝送部材の被覆及び前記第１シート部材は、ポリ塩化ビニルを主成分とする樹脂で形成されており、
前記第２シート部材は、前記第１シート部材よりも伸び難い樹脂で形成されている、配線部材。
【請求項７】
第１シート部材と、
前記第１シート部材の他方主面側に固定された第２シート部材と、
を備え、
前記第１シート部材と前記第２シート部材との一方に、他方が溶けて充填可能な空間が形成され、
前記第１シート部材と前記第２シート部材との前記他方が、前記一方の前記空間に溶けて充填された固化した状態で、前記第１シート部材と前記第２シート部材とが重ね合されている、積層シート。
【発明の詳細な説明】
【技術分野】
【０００１】
この発明は、線状伝送部材とシート部材とを備える配線部材に関する。
【背景技術】
【０００２】
特許文献１は、被覆電線を軟質樹脂シート上に平行に並べる構成を開示している。被覆電線と軟質樹脂シートとを結合する手段としては、加熱加圧溶着手段等が開示されている。
【先行技術文献】
【特許文献】
【０００３】
【特許文献１】実開昭５８−１９２４０８号公報
【発明の概要】
【発明が解決しようとする課題】
【０００４】
質樹脂シートとしては、被覆電線との結合に適した材質のものを選定することが好ましい。例えば、被覆電線と軟質樹脂シートとを加熱加圧溶着手段で結合することを想定する。この場合、軟質樹脂シートとしては、被覆電線の被覆が容易に溶着するもの、例えば、被覆の樹脂材料と同じ樹脂を用いることが好ましい。
【０００５】
しかしながら、軟質樹脂シートとして、被覆電線との結合に適したものを選定すると、他の性能に劣ることがあり得る。この場合に、軟質樹脂シートに他のシートを重ね合せて、当該他の性能を補うことが考えられる。
【０００６】
ところが、軟質樹脂シートと他のシートとの材質の組合せ等によっては、両者を重ね合せてしっかり固定できない場合があり得る。
【０００７】
そこで、本発明は、電線が固定される第１シート部材に第２シート部材を重ね合せてしっかり固定できるようにすることを目的とする。
【課題を解決するための手段】
【０００８】
上記課題を解決するため、第１の態様に係る配線部材は、線状伝送部材と、前記線状伝送部材が一方主面に固定された第１シート部材と、前記第１シート部材の他方主面側に固定された第２シート部材と、を備え、前記第１シート部材は前記第２シート部材と比較して前記線状伝送部材の固定に適し、前記第１シート部材と前記第２シート部材との一方に、他方が溶けて充填可能な空間が形成され、前記第１シート部材と前記第２シート部材との前記他方が、前記一方の前記空間に溶けて充填されて固化した状態で、前記第１シート部材と前記第２シート部材とが重ね合されているものである。
【０００９】
第２の態様は、第１の態様に係る配線部材であって、前記第１シート部材と前記第２シート部材のうち前記一方の融点が、前記他方の融点よりも高いものである。
【００１０】
第３の態様は、第１又は第２の態様に係る配線部材であって、前記第１シート部材は、内部が一様に埋ったシート状の部材であり、前記第２シート部材は、複数の繊維を含み、前記複数の繊維の間に前記空間が形成された不織シート部材であり、前記第１シート部材が溶けて、前記不織シート部材の前記空間に充填されて固化した状態で、前記第１シート部材と前記不織シート部材とが重ね合されているものである。
【００１１】
第４の態様は、第３の態様に係る配線部材であって、前記不織シート部材のうち前記第１シート部材側の空間に前記第１シート部材が溶けて充填されて固化しており、前記不織シート部材のうち前記第１シート部材から離れた部分では空間が残存しているものである。
【００１２】
第５の態様は、第１から第４のいずれか１つの態様に係る配線部材であって、前記第１シート部材は、前記線状伝送部材の被覆と同系の樹脂で形成されているものである。
【００１３】
第６の態様は、第１から第５のいずれか１つの態様に係る配線部材であって、前記線状伝送部材の被覆及び前記第１シート部材は、ポリ塩化ビニルを主成分とする樹脂で形成されており、前記第２シート部材は、前記第１シート部材よりも伸び難い樹脂で形成されているものである。
【００１４】
上記課題を解決するため、第７の態様に係る積層シートは、第１シート部材と、前記第１シート部材の他方主面側に固定された第２シート部材と、を備え、前記第１シート部材と前記第２シート部材との一方に、他方が溶けて充填可能な空間が形成され、前記第１シート部材と前記第２シート部材との前記他方が、前記一方の前記空間に溶けて充填された固化した状態で、前記第１シート部材と前記第２シート部材とが重ね合されているものである。
【発明の効果】
【００１５】
第１の態様によると、線状伝送部材を第１シート部材にしっかりと固定できる。また、第１シート部材と第２シート部材との一方の空間に他方が溶けて充填されて固化した状態で、第１シート部材と第２シート部材とが重ね合されているため、第１シート部材と第２シート部材とをしっかりと重ね合せて固定することができる。
【００１６】
第２の態様によると、第１シート部材と第２シート部材とを重ね合せた状態で加熱すると、前記第１シート部材と前記第２シート部材のうち前記他方が先に溶け易い。このため、第１シート部材と第２シート部材との一方の空間に他方が溶けて充填されて固化された状態に容易に加工することができる。
【００１７】
第３の態様によると、線状伝送部材を、内部が一様に埋ったシート状の第１シート部材に安定して固定し易い。また、第１シート部材が溶けて、不織シート部材の複数の繊維の間の空間に充填されて固化した状態で、第１シート部材と不織シート部材とが重ね合されているため、第１シート部材と不織シート部材とをしっかりと重ね合せ状態に保つことができる。
【００１８】
第４の態様によると、不織シート部材のうち前記第１シート部材から離れた部分では空間が残存しているため、不織シート部材による保護性能、防音性を得ることができる。
【００１９】
第５の態様によると、第１シート部材は、線状伝送部材の被覆と同系の樹脂で形成されているため、線状伝送部材の被覆を第１シート部材にしっかりと固定し易い。
【００２０】
第６の態様によると、線状伝送部材の被覆と第１シート部材とを固定し易い。また、ポリ塩化ビニルは伸び易いため、第１シート部材よりも伸び難い樹脂で形成された第２シート部材によって、重ね合せた第１シート部材及び第２シート部材を伸び難くできる。
【００２１】
第７の態様によると、第１シート部材と第２シート部材との一方の空間に他方が溶けて充填されて固化した状態で、第１シート部材と第２シート部材とが重ね合されているため、第１シート部材と第２シート部材とをしっかりと重ね合せて固定することができる。また、第１シート部材と第２シート部材とを化学的な相互作用による接着性の良否とは関係無く、重ね合せることができるため、例えば、第１シート部材を他の部材への固定に適した材料とし、第２シート部材を他の機能確保に適した構成とすることができる。
【図面の簡単な説明】
【００２２】
【図１】実施形態に係る配線部材を示す概略斜視図である。
【図２】図１のＩＩ−ＩＩ線における部分断面図である。
【図３】配線部材を製造する一工程を示す説明図である。
【図４】第１変形例に係る配線部材を示す概略斜視図である。
【図５】第２変形例に係る配線部材を示す概略斜視図である。
【図６】同上の変形に係る配線部材を示す部分断面図である。
【図７】配線部材に熱によって変色する材料を設けた例を示す説明図である。
【発明を実施するための形態】
【００２３】
以下、実施形態に係る配線部材及び積層シートについて説明する。
【００２４】
図１は配線部材１０を示す概略斜視図であり、図２は図１のＩＩ−ＩＩ線における部分断面図である。
【００２５】
配線部材１０は、線状伝送部材２０と、積層シート３０とを備える。積層シート３０は、第１シート部材３２と、第２シート部材３６とが積層された構成とされている。
【００２６】
線状伝送部材２０は、電気又は光等を伝送する線状の部材であればよい。例えば、線状伝送部材２０は、芯線と芯線の周囲の被覆とを有する一般電線であってもよいし、シールド線、エナメル線、ニクロム線、光ファイバ等であってもよい。電気を伝送する線状伝送部材としては、各種信号線、各種電力線であってもよい。電気を伝送する線状伝送部材は、信号又は電力を空間に対して送る又は空間から受けるアンテナ、コイル等として用いられてもよい。
【００２７】
ここでは線状伝送部材２０が一般電線２０（以下、単に電線２０と呼ぶ）であるものとして説明する。電線２０は、伝送線本体としての芯線２４と、芯線２４を覆う被覆２６としての絶縁被覆２６とを有する。電線２０に関する各説明は、適用不可能な構成を除き、線状伝送部材２０の各例示物に適用可能である。
【００２８】
芯線２４は、１本又は複数本の素線で構成される。素線は、銅、銅合金、アルミニウム、アルミニウム合金等の導体で形成される。芯線２４が複数本の素線で構成される場合、複数本の素線は撚られていてもよい。絶縁被覆２６は、ＰＶＣ（ポリ塩化ビニル）、ＰＥ（ポリエチレン）などの樹脂材料が芯線２４の周囲に押出成形されるなどして形成される。ここでは電線２０は、横断面が円形のいわゆる丸電線である。
【００２９】
ここでは、複数（図１では３つ）の電線２０が並列状態で積層シート３０に固定されている。電線２０は、１本でもよいし、複数本であってもよい。電線２０は、積層シート３０上で曲って固定されていてもよい。複数の電線２０は、途中で分岐するように積層シート３０に固定されていてもよい。
【００３０】
積層シート３０は、主面３１上に電線２０が固定されるシート状の部材である。積層シート３０の主面３１上に電線２０が固定されることによって、当該電線２０が主面３１において所定の経路に沿って保持される。積層シート３０は、容易に曲げ可能な柔軟性を有していてもよいし、一定の形状を保つことができる程度の剛性を有する部材であってもよい。
【００３１】
積層シート３０は、第１シート部材３２と、第２シート部材３６とが積層された構成とされている。
【００３２】
第１シート部材３２は、シート状の部材である。ここでは、第１シート部材３２は、細長い方形状に形成されている。この第１シート部材３２の一方主面３３に電線２０が固定される。
【００３３】
第２シート部材３６は、シート状の部材である。ここでは、第１シート部材３２は、細長い方形状に形成されている。上記第１シート部材３２の他方主面３４に第２シート部材３６が重ね合せ状態で固定される。
【００３４】
ここでは、第１シート部材３２と第２シート部材３６とは同じ形状であり、第１シート部材３２の他方主面３４の全体に第２シート部材３６が固定されている。第１シート部材が第２シート部材よりも大きく、第１シート部材の他方主面の一部に第２シート部材が固定されていてもよい。逆に、第１シート部材が第２シート部材よりも小さく、第２シート部材の一方主面の一部に第１シート部材が固定されていてもよい。
【００３５】
上記第１シート部材３２に電線２０が固定されることから、第１シート部材３２は、第２シート部材３６と比較して電線２０の固定に適した部材とされている。
【００３６】
第１シート部材３２として、電線２０の固定に適したものを採用すると、何らかの機能が不十分になったり、不足したりする恐れがある。そこで、第２シート部材３６によって、第１シート部材３２の何らかの機能を補強したり、付加したりする。
【００３７】
第１シート部材３２に対して電線２０を固定する態様は、接触部位固定であってもよいし、非接触部位固定であってもよいし、両者が併用されていてもよい。
【００３８】
ここで接触部位固定とは、線状伝送部材（電線２０）と第１シート部材３２とが接触する部分がくっついて固定されているものである。また、非接触部位固定とは、接触部位固定でない固定態様であり、例えば、他の固定用の部材が線状伝送部材（電線２０）を第１シート部材３２に向けて押え込む等して、線状伝送部材（電線２０）と第１シート部材３２とが固定された状態に維持するものである。
【００３９】
接触部位固定の態様として、接触部位間接固定であってもよいし、接触部位直接固定であってもよいし、異なる領域で両者が併用されていてもよい。ここで接触部位間接固定とは、線状伝送部材（電線２０）と第１シート部材３２とが、その間に設けられた接着剤、粘着剤、両面粘着テープなどの介在部材を介して間接的にくっついて固定されているものである。また接触部位直接固定とは、線状伝送部材（電線２０）と第１シート部材３２とが別に設けられた接着剤等を介さずに直接くっついて固定されているものである。接触部位直接固定では、例えば線状伝送部材（電線２０）と第１シート部材３２とのうち少なくとも一方に含まれる樹脂が溶かされることによってくっついて固定されることが考えられる。
【００４０】
係る接触部位直接固定の状態が形成されるに当たり、樹脂は、例えば、熱によって溶かされることも考えられるし、溶剤によって溶かされることも考えられる。つまり、接触部位直接固定の状態としては、熱による接触部位直接固定の状態であってもよいし、溶剤による接触部位直接固定の状態であってもよい。好ましくは、熱による接触部位直接固定の状態であるとよい。
【００４１】
このとき接触部位直接固定の状態を形成する手段は特に限定されるものではなく、溶着、融着、溶接等の公知の手段を含む各種手段を用いることができる。例えば、溶着によって熱による接触部位直接固定の状態を形成する場合、超音波溶着、加熱加圧溶着、熱風溶着、高周波溶着など種々の溶着手段を採用することができる。またこれらの手段によって接触部位直接固定の状態が形成されると、線状伝送部材（電線２０）と第１シート部材３２とは、その手段による接触部位直接固定の状態とされる。具体的には、例えば、超音波溶着によって接触部位直接固定の状態が形成されると、線状伝送部材（電線２０）と第１シート部材３２とは、超音波溶着による接触部位直接固定の状態とされる。溶着によって熱による接触部位直接固定の状態を形成した部分（線状伝送部材（電線２０）と第１シート部材３２との固定部分）を溶着部、このうち、超音波溶着による固定部分を超音波溶着部、加熱加圧溶着による固定部分を加熱加圧溶着部等と称してもよい。
【００４２】
接触部位直接固定の場合、線状伝送部材（電線２０）の被覆に含まれる樹脂のみが溶けていてもよいし、第１シート部材３２に含まれる樹脂のみが溶けていてもよい。これらの場合において、溶けた方の樹脂が他方の外面にくっついて固化した状態となり、比較的はっきりした界面が形成されることがある。また、接触部位直接固定の場合、線状伝送部材（電線２０）の被覆に含まれる樹脂と第１シート部材３２に含まれる樹脂の両方が溶けていてもよい。この場合、両方の樹脂が混ざり合ってはっきりした界面が形成されないことがある。特に、線状伝送部材（電線２０）の被覆と第１シート部材３２とが、同じ樹脂材料など、相溶し易い樹脂を含む場合などに、両方の樹脂が混ざり合ってはっきりした界面が形成されないことがある。
【００４３】
非接触部位固定の態様としては、例えば、縫糸、別のシート材、粘着テープなどが、線状伝送部材（電線２０）を第１シート部材３２に向けて押え込む等して、線状伝送部材（電線）とシート材とが固定された状態に維持することが考えられる。
【００４４】
上記各固定態様を前提とすると、第１シート部材３２は、第２シート部材３６と比較して電線２０の固定に適した部材とされていることの意義については、例えば、次のように考えることができる。
【００４５】
接触部位固定の一例である接触部位間接固定の態様として、線状伝送部材（電線２０）と第１シート部材３２とが、その間に設けられた粘着剤、両面粘着テープ等の粘着部材を介して粘着固定される態様を考える。この場合、第１シート部材３２は、第２シート部材３６と比較して電線２０の固定に適した部材であるということは、粘着部材を第１シート部材３２及び第２シート部材３６に粘着した場合に、第２シート部材３６に対する粘着力よりも、第１シート部材３２に対する粘着力の方が大きいと考えてもよい。一般的には、ざらついた面、不織布のように微細な構造物が表面に分離可能な態様で存在している面を有する部材に対しては、粘着部材の粘着力が小さい。
【００４６】
接触部位固定の一例である接触部位間接固定の態様として、線状伝送部材（電線２０）と第１シート部材３２とが、その間に設けられた接着剤によって固定される態様を考える。この場合、線状伝送部材（電線２０）の接着に適した接着剤に対して、第１シート部材３２が第２シート部材３６よりも接着力が大きいと考えてもよい。一般的に、接着剤は、相溶性（親和性）が良好な部材に対して良好な接着性を示し、特に、同系の樹脂に対して良好な接着性を示すため、線状伝送部材（電線２０）の被覆と第１シート部材３２とは同系の樹脂とするとよい。
【００４７】
接触部位固定の一例である接触部位直接固定の態様として、線状伝送部材（電線２０）と第１シート部材３２とが、それらの少なくとも一方の樹脂表面が溶けて固化して固定される態様を考える。上記したように、線状伝送部材（電線２０）と第１シート部材３２の少なくとも一方の樹脂表面は、熱によって溶かされることも考えられるし、溶剤によって溶かされることも考えられる。この場合、線状伝送部材（電線２０）の樹脂表面（被覆）と第１シート部材３２の樹脂表面との少なくとも一方が溶けて固化して両者がくっついた場合の固着力が、線状伝送部材（電線２０）の樹脂表面（被覆）と第２シート部材３６の樹脂表面との少なくとも一方が溶けて固化して両者がくっついた場合の固着力よりも大きいと考えてもよい。一般的に、相溶性（親和性）が良好な樹脂材料同士であれば、それらの少なくとも一方が溶けた場合に、良好な固着力を示し、特に、同系の樹脂材料同士であれば、良好な固着力を示す。このため、線状伝送部材（電線２０）の表面部分（被覆）と第１シート部材３２とは同系の樹脂とするとよい。つまり、線状伝送部材の表面部分の樹脂と第１シート部材３２の樹脂の相溶性は、線状伝送部材の表面部分の樹脂と第２シート部材３６の樹脂との相溶性よりも良好であるとよい。
【００４８】
非接触部位固定の態様として、縫糸が、線状伝送部材（電線２０）を囲いつつ第１シート部材３２に縫われること等で、当該縫糸が、線状伝送部材（電線２０）を第１シート部材３２に縫付けている態様を考える。この場合、縫糸によって第１シート部材３２が第２シート部材３６よりも千切れ難く、従って、縫糸によって第１シート部材３２に縫付けられた線状伝送部材（電線２０）が、同じ構成によって第２シート部材３６に縫付けられている構成よりも、強固に固定されていると考えてもよい。
【００４９】
非接触部位固定の態様として、シート材、粘着テープ等が、線状伝送部材（電線２０）を覆った状態で第１シート部材３２に固定されることで、線状伝送部材（電線２０）が第１シート部材３２に固定されている態様を考える。この場合、別のシート材、粘着テープ等が粘着部材を介して第１シート部材３２に固定されているのであれば、第１シート部材３２に対する別のシート材、粘着テープ等の粘着力が、第２シート部材３６に対する粘着力よりも、大きいと考えてもよい。
【００５０】
押え付けのためのシート材が第１シート部材３２に対して接着剤によって固定されている態様、押え付けのためのシート材が第１シート部材３２に対して縫糸で固定されている態様、押え付けのためのシート材が当該シート材又は第１シート部材３２の少なくとも一方の樹脂表面が溶けることで固定されている態様については、それぞれ、線状伝送部材（電線２０）の被覆と第１シート部材３２との固定態様に関する上記考えを適用することができる。
【００５１】
まとめると、第１シート部材３２が第２シート部材３６と比較して線状伝送部材（電線２０）の固定に適しているとは、次のように捉えることができる。すなわち、線状伝送部材（電線２０）を同じ構成で第１シート部材３２及び第２シート部材３６に固定した場合に、第１シート部材３２に対する線状伝送部材（電線２０）の固定力が、第２シート部材３６に対する線状伝送部材（電線２０）の固定力よりも大きくなることである。
【００５２】
ここでは、線状伝送部材（電線２０）が第１シート部材３２に対して接触部位直接固定、より具体的には、線状伝送部材（電線２０）と第１シート部材３２との少なくとも一方の樹脂表面が溶けて固化して、線状伝送部材（電線２０）が第１シート部材３２に対して固定されている例で説明する。
【００５３】
この場合、上記したように、線状伝送部材（電線２０）の樹脂表面（被覆）と第１シート部材３２の樹脂表面との少なくとも一方が溶けて固化して両者がくっついた場合の固着力が、線状伝送部材（電線２０）の樹脂表面（被覆）と第２シート部材３６の樹脂表面との少なくとも一方が溶けて固化して両者がくっついた場合の固着力よりも大きいと考えてもよい。
【００５４】
上記条件を満たすものであれば、第１シート部材３２を構成する材料は特に限定されるものではなく、例えば、第１シート部材３２は、ＰＶＣ（ポリ塩化ビニル）、ＰＥＴ（ポリエチレンテレフタレート）、ＰＰ（ポリプロピレン）、などの樹脂を含む材料によって形成される。いずれの材料が適しているかについては、線状伝送部材（電線２０）の樹脂表面（被覆）の材料との関係で選定すればよい。
【００５５】
上記したように、線状伝送部材（電線２０）の樹脂表面（被覆）と第１シート部材３２とは同系の樹脂とするとよい。例えば、電線２０の被覆２６がＰＶＣ（ポリ塩化ビニル）を主成分とする樹脂によって形成されている場合、第１シート部材３２を、ＰＶＣ（ポリ塩化ビニル）を主成分とする樹脂によって形成するとよい。
【００５６】
また、ここでは、第１シート部材３２は、内部が一様に埋ったシート状の部材とされている。
【００５７】
上記のように、第１シート部材３２の材料を、電線２０の固定に適するという観点から選ぶと、配線部材として望ましいとされる何らかの機能が不十分となる、或は、何らかの機能を欠く場合があり得る。
【００５８】
例えば、上記のように、第１シート部材３２を、電線２０の被覆２６の材料に合せて、ＰＶＣ（ポリ塩化ビニル）を主成分とする樹脂によって形成する場合を考える。この場合、ＰＶＣ（ポリ塩化ビニル）は伸び易い樹脂であるため、配線部材１０に加わる引っ張り力を十分に受けることができず、電線２０自体に引っ張り力が大きく作用してしまうことがあり得る。
【００５９】
そこで、第１シート部材３２に第２シート部材３６を重ね合せて固定する。第２シート部材３６は、第１シート部材３２に、何らかの機能を補充し又は付加する目的で選定されるため、電線２０の固定に適さないものが選定される場合があり得る。第１シート部材３２としては、電線２０への固定に適したものが選定されるため、第２シート部材３６を第１シート部材３２に重ね合せ状態で固定するのに適さないことがあり得る。
【００６０】
例えば、上記のように、第１シート部材３２として、電線２０の被覆２６の材料に合せて、ＰＶＣ（ポリ塩化ビニル）を主成分とする樹脂によって形成されたものを選定するとする。この場合、第１シート部材３２は伸び易くなるため、第２シート部材３６として伸び難いものを選定するとよい。例えば、第２シート部材３６を、伸び難いＰＰ（ポリプロピレン）、ＰＥＴ（ポリエチレンテレフタレート）、ＰＥ（ポリプロピレン）等の樹脂で形成したとする。
【００６１】
そして、第１シート部材３２及び第２シート部材３６の少なくとも一方の樹脂表面を溶かして両者を固定することを考える。この場合、ＰＶＣ（ポリ塩化ビニル）を主成分とする樹脂によって形成された第１シート部材３２は、ＰＰ（ポリプロピレン）、ＰＥＴ（ポリエチレンテレフタレート）、ＰＥ（ポリプロピレン）等の樹脂で形成された第２シート部材３６とくっつき難く、両者が容易に剥離してしまうことがあり得る。
【００６２】
そこで、第２シート部材３６として、第１シート部材３２が溶けて充填可能な空間が形成されたものを用い、第１シート部材３２が溶けて第２シート部材３６の空間に充填されて固化した状態で、第１シート部材３２と第２シート部材３６とが重ね合された状態とする。
【００６３】
ここでは、第２シート部材３６として、不織シート部材を用いる。不織シート部材は、複数の繊維３７が織られずに絡み合ってシート状に形成された部材である。繊維３７として、第１シート部材３２を構成する樹脂よりも伸び難い樹脂、例えば、ＰＰ（ポリプロピレン）、ＰＥＴ（ポリエチレンテレフタレート）、ＰＡ（ポリアミド）、ＰＥ（ポリプロピレン）等を用いれば、不織シート部材自体も伸び難くなる。このため、かかる不織シート部材によって形成された第２シート部材３６を、第１シート部材３２に重ね合せて接合することで、積層シート３０自体も伸び難くなる。不織シート部材には、バインダと称される接着樹脂が含まれていてもよい。接着樹脂は、上記繊維３７の融点よりも低い融点を有しており、上記繊維３７同士をくっつける役割を果すものである。接着樹脂は、上記複数の繊維の全部又は一部を覆うものであってもよいし、上記繊維とは別に繊維状又は粒状に混じるものであってもよい。
【００６４】
不織シート部材によって形成された第２シート部材３６は、複数の繊維３７の間に空間３８が形成される。この空間３８が、第１シート部材３２が溶けて充填可能な空間３８である。
【００６５】
不織シート部材によって形成された第２シート部材３６の融点を、第１シート部材３２の融点よりも高くすることが好ましい。すなわち、不織シート部材によって形成された第２シート部材３６の空間３８に、第１シート部材３２を溶かして充填するためには、第１シート部材３２が溶けた状態で、空間３８が潰れずに残存していることが好ましい。このためには、第２シート部材３６の繊維３７の融点を、第１シート部材３２の融点よりも高くするとよい。
【００６６】
例えば、第１シート部材３２を、融点が８５〜２１０度であるＰＶＣ（ポリ塩化ビニル）を主成分とする樹脂で形成し、第２シート部材３６の繊維として、融点がおよそ２５０度のＰＰ（ポリプロピレン）を用いることが考えられる。
【００６７】
なお、繊維３７の融点が第１シート部材３２の融点よりも高いことは必須ではない。接着樹脂の融点は第１シート部材３２の融点よりも大きくなくてもよい。第２シート部材３６の融点は、空間３８を形成する主たる部分（繊維３７）の温度である。
【００６８】
第１シート部材３２と第２シート部材３６とは、例えば、図３に示すようにして、重ね合せて固定することができる。
【００６９】
まず、第１シート部材３２と第２シート部材３６とを準備する。そして、第１シート部材３２と第２シート部材３６とを重ね合せた状態で、第１プレス部材５０及び第２プレス部材５２によって挟込む。第１プレス部材５０及び第２プレス部材５２の少なくとも一方にヒータ５４が設けられている。主として第１シート部材３２を加熱することができるように、ヒータ５４は、少なくとも第１シート部材３２を押す側の第１プレス部材５０側に設けられているとよい。
【００７０】
第１プレス部材５０及び第２プレス部材５２によって、第１シート部材３２と第２シート部材３６とを重ね合せた状態で加圧及び加熱すると、第１シート部材３２の少なくとも一部が溶ける。そして、第１シート部材３２の溶けた部分が、第２シート部材３６の繊維３７の空間３８に流れ込み、当該空間３８に充填された状態となる。
【００７１】
この後、加熱が停止されると、第１シート部材３２のうち溶けて空間３８に充填された部分が固化し、第１シート部材３２と第２シート部材３６とが重ね合せ状態で固定された状態となる。
【００７２】
第１シート部材３２を加熱する際、第１シート部材３２の全体が溶けてもよいし、第２シート部材３６に近い側の一部のみが溶けてもよい。第１シート部材３２のうち溶けた部分は、第２シート部材３６の第１シート部材３２側の空間３８のみに充填されてもよいし、第２シート部材３６の厚み方向全体の空間３８に充填されてもよい。図２では、第２シート部材３６のうち第１シート部材３２側の空間３８に、第１シート部材３２が溶けて充填されて固化しており、第２シート部材３６のうち第１シート部材３２から離れた部分では空間３８の少なくとも一部が残存したままとなっている。
【００７３】
第１シート部材３２と第２シート部材３６とは、それらの接触面全体で固定されてもよいし、部分的な固定箇所又は固定領域で固定されてもよい。
【００７４】
第１シート部材３２に対する電線２０の固定は、第１シート部材３２と第２シート部材３６とを固定する前になされてもよいし、第１シート部材３２と第２シート部材３６とを固定した後になされてもよい。第１シート部材３２に電線２０を固定した後に、第１シート部材３２と第２シート部材３６とを固定する場合には、電線２０の固定箇所を避けて、第１シート部材３２と第２シート部材３６とを加圧及び加熱してもよい。
【００７５】
第２シート部材３６の材料、性状等は、第１シート部材３２に対して補充又は付加を望まれる機能によって異なる。例えば、防音性、クッション性等を補充又は付加する目的である場合には、第２シート部材３６は、伸び易い繊維で形成された不織シート部材であってもよい。また、例えば、剛性等を補充又は付加する目的である場合には、第２シート部材３６は、第１シート部材３２よりも高剛性なシートであってもよい。
【００７６】
このように構成された配線部材１０、積層シート３０によると、第１シート部材３２は、第２シート部材３６と比較して電線２０の固定に適した部材であるため、電線２０を第１シート部材３２にしっかりと固定できる。
【００７７】
また、第１シート部材３２が第２シート部材３６の空間３８に溶けて充填されて固化した状態で、第１シート部材３２と第２シート部材３６とが重ね合されているため、アンカー効果によって、第１シート部材３２が第２シート部材３６に固定されて、剥離強度が強くなり、両者をしっかりと重ね合せて固定することができる。換言すれば、第１シート部材３２と第２シート部材３６とは、主として物理的な作用によって固定されるため、第２シート部材３６として、電線２０、第１シート部材３２への化学的な固着力等を考慮せず、任意の材質で形成されたものを選定でき、望ましいとされる任意の機能を付加又は補完し易い。
【００７８】
また、第１シート部材３２の融点よりも第２シート部材３６の融点よりも高くすると、第１シート部材３２と第２シート部材３６とを重ね合せた状態で加圧及び加熱した際に、第２シート部材３６に空間３８が残存したままの状態で、第１シート部材３２が溶け易い。このため、第１シート部材３２が溶けて第２シート部材３６の空間３８に充填されて固化した状態に容易に固定することができる。これにより、第１シート部材３２と第２シート部材３６とをより確実にしっかりと重ね合せて固定することができる。
【００７９】
また、第１シート部材３２は、内部が一様に埋ったシート状の部材であるため、線状の電線２０を第１シート部材３２に安定して固定し易い。また、第２シート部材３６は、不織シート部材であるため、絡み合う複数の繊維３７の間に多数の空間３８が形成されており、溶けた第１シート部材３２が多数の空間３８間に容易に充填される。また、この状態で、複数の繊維３７が溶けた第１シート部材３２の内部に複雑に入り込んだ状態となるため、溶けた第１シート部材３２が複数の繊維３７の間の空間３８から脱し難い。このため、第１シート部材３２と第２シート部材３６とをしっかりと重ね合せて固定することができる。
【００８０】
また、不織シート部材である第２シート部材３６のうち、第１シート部材３２側の空間に第１シート部材３２が溶けて充填されて固化しており、第２シート部材３６のうち第１シート部材３２から離れた部分では空間３８が残存しているため、不織シート部材による保護性能、防音性能を得ることができる。
【００８１】
また、第１シート部材３２の樹脂材料と線状伝送部材（電線２０）の表面の樹脂材料（被覆２６の材料）とを同系の樹脂で形成すれば、線状伝送部材（電線２０）の表面（被覆２６）を第１シート部材３２にしっかりと固定し易い。
【００８２】
例えば、線状伝送部材の表面部分（電線２０の被覆２６）及び第１シート部材３２を、ポリ塩化ビニルを主成分とする樹脂で形成すれば、両者をしっかりと固定できる。そして、第２シート部材３６として、第１シート部材３２よりも伸び難い樹脂（例えば、伸び難いＰＰ（ポリプロピレン）、ＰＥＴ（ポリエチレンテレフタレート）、ＰＥ（ポリプロピレン）等）で形成すれば、積層シート３０全体として伸び難くすることができ、配線部材１０に引っ張り力が加わった場合に、これを積層シート３０で受止めることができ、電線２０に引っ張り力が作用し難くなる。
【００８３】
｛変形例｝
上記実施形態を前提として、各種変形例について説明する。
【００８４】
上記実施形態では、第１シート部材３２が、内部が一様に埋ったシート状の部材であり、第２シート部材３６が不織シート部材である例で説明した。
【００８５】
逆に、図４に示す第１変形例に係る配線部材１１０のように、電線２０が固定される第１シート部材１３２が、不織シート部材であり、第２シート部材１３６が、内部が一様に埋ったシート状の部材であってもよい。この場合でも、第１シート部材１３２が電線２０の固定に適したものであれば、電線２０を第１シート部材１３２にしっかりと固定でき、かつ、第１シート部材１３２と第２シート部材１３６とをしっかりと重ね合せて固定することができる。
【００８６】
例えば、電線２０の被覆２６と不織シート部材である第１シート部材１３２とが、ポリ塩化ビニル（ＰＶＣ）等の同系樹脂材料で形成されることで、両者が固定に適した組合せとなっていてもよい。また、例えば、第２シート部材１３６が伸び難いＰＰ（ポリプロピレン）、ＰＥＴ（ポリエチレンテレフタレート）、ＰＥ（ポリプロピレン）等で形成され、伸び難さを付加するものであってもよい。
【００８７】
つまり、電線が固定される第１シート部材が、隙間を有する部材であり、第２シート部材が溶けて当該隙間に充填されて固化する構成であってもよい。
【００８８】
また、上記実施形態では、空間３８を有する第２シート部材３６が不織シート部材である例で説明したが、第２シート部材は、第１シート部材が溶けて充填して固化可能な空間を有する部材であればよい。
【００８９】
例えば、図５に示す第２変形例に係る配線部材２１０では、第２シート部材２３６として網状の部材が用いられている。図５では、第１シート部材３２に第２シート部材２３６を固定する前の状態を示している。網状の第２シート部材２３６は、縦横に組合わされた線状の部材の間に、空間２３８を有している。つまり、網目が空間２３８である。第２シート部材２３６は、上記実施形態と同様に、第１シート部材３２に機能を付加又は補完するものである。例えば、第２シート部材２３６は、伸び難いＰＰ（ポリプロピレン）、ＰＥＴ（ポリエチレンテレフタレート）、ＰＥ（ポリプロピレン）、金属等で形成されていてもよい。
【００９０】
そして、上記実施形態と同様に、第１シート部材３２と第２シート部材２３６とを重ね合せて加圧及び加熱すると、図６に示すように、第１シート部材３２が溶けて、第２シート部材２３６の空間２３８（網目）内に充填されて固化する。このため、電線２０を第１シート部材３２にしっかりと固定できるようにしつつ、第１シート部材３２と第２シート部材２３６とをしっかりと重ね合せて固定することができる。
【００９１】
第２シート部材としては、空間が形成されたシートであればよく、上記のような網の他、糸を縦横に組合わせた織布、糸を織った織物等であってもよい。織布、網布は、組合わされた又は織られた糸の間に空間が形成されているため、第１シート部材を溶かして当該空間に充填して固化させることができる。また、第２シート部材としては、シートに表裏に貫通する孔、又は、有底の凹みが形成され、当該孔の内部空間又は有底の凹みの内部空間が、第１シート部材が溶けて充填して固化される空間とされたものであってもよい。
【００９２】
また、電線２０と第１シート部材３２とを熱によって溶かして固定する際には、電線２０と第１シート部材３２とに熱がしっかりと加えられてしっかりと固定されているか否かを確認できるようにすることが好ましい。
【００９３】
そのためには、図７に示す配線部材３１０のように、電線２０が固定されるシートである第１シート部材３２と、電線２０の被覆２６（線状伝送部材の表面をなす樹脂）との少なくとも一方に、熱によって変色する材料を設けるとよい。熱によって変色する材料は、第１シート部材３２又は被覆２６を形成する材料に混合してもよいし、それらの表面に付着させてもよい。
【００９４】
熱によって変色する材料は、電線２０と第１シート部材３２とを熱によって固定する際に、電線２０と第１シート部材３２との接触部分が加熱されるべき温度（例えば、電線２０の融点と第１シート部材３２の融点のうち低い方の温度）以上の所定温度で、変色することが好ましい。
【００９５】
熱によって変色する材料は、不可逆的に変色するものであってもよいし、可逆的に変色するものであってもよい。加工後、ある程度の時間が経過した後にも、電線２０と第１シート部材３２とに熱がしっかりと加えられたか否かを検査するためには、熱によって変色する材料は、不可逆的に変色するものであることが好ましい。熱によって変色する材料が、可逆的に変色するものである場合、熱加工中又は直後に、目視にて、又は、カメラにて撮像し変色箇所を抽出する機能を有する画像処理検査装置にて検査を行うとよい。
【００９６】
不可逆的に変色する材料としては、コバルト、ニッケル、銅等を含む化合物顔料であり、熱分解等によって組成が変って変色するものを用いることができる。かかる材料として、例えば、不可逆性示温塗料として周知のものを用いることができる。
【００９７】
可逆的に変色する材料としては、化合物の結晶系の転移等の物理的変化を利用した塗料を用いることができる。例えば、ヨウ化水銀（ＩＩ）酸塩等を用いた塗料を用いることができる。かかる材料として、例えば、不可逆性示温塗料として周知のもの（サーモカラー、Temp-Alarm、サーモペイント等）を用いることができる。
【００９８】
この例によると、電線２０と第１シート部材３２とを加熱して固定する場合、しっかりと熱が加えられた箇所３５０は、当該熱によって変色する。これに対して、しっかりと熱が加えられた箇所３５２は、元の色のままであるか、変色の程度が低い。このため、しっかり熱を加えた固定ができていないことを視覚的に確認することができる。
【００９９】
図７では、電線２０が第１シート部材３２に対して複数箇所で点状に固定されているが、電線２０は、その長手方向全体に亘って第１シート部材３２に対して固定されてもよい。
【０１００】
本構成は、上記実施形態に説明した配線部材１０に限らず、線状伝送部材（電線２０）をシート状部材に固定する場合に、広く適用可能である。
【０１０１】
第１シート部材３２及び第２シート部材３６の少なくとも一方に、熱によって変色する材料が設けられ、両者を固定する際に、熱が所望の箇所又は領域に加わったか否かを検査できるようにしてもよい。
【０１０２】
なお、上記実施形態及び各変形例で説明した各構成は、相互に矛盾しない限り適宜組合わせることができる。例えば、第１変形例と第２変形例とを組合せ、電線２０が固定される第１シート部材として網状のものを用い、第２シート部材として内部が一様に埋ったシート状の部材を用いてもよい。
【０１０３】
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【０１０４】
１０、１１０、２１０    配線部材
２０    電線（線状伝送部材）
２６    被覆
３０    積層シート
３２、１３２    第１シート部材
３３    第１シート部材の一方主面
３４    第１シート部材の他方主面
３６、１３６、２３６    第２シート部材
３７    繊維
３８、２３８    空間
【図１】
2020024787.tif 000003
【図２】
2020024787.tif 000004
【図３】
2020024787.tif 000005
【図４】
2020024787.tif 000006
【図５】
2020024787.tif 000007
【図６】
2020024787.tif 000008
【図７】
2020024787.tif 000009